(57)【要約】【課題】複数の駆動源における一部の駆動源が故障した場合において、正常な駆動源が過負荷状態となることを防止することができるファン制御装置を提供する。【解決手段】ＦＡＤＥＣ１０がエンジン＋コンプレッサー１１，１２のいずれかの異常を検知したときは、ＦＣＣ３は、異常検知前における推力をファン１が発生するために必要な流量の空気を正常なエンジン＋コンプレッサー１１，１２が供給可能な状態になるまで、ファン駆動用空気量を異常検知前に比べて低い量になるように制御する。そのため、正常なエンジン＋コンプレッサー１１，１２にサージ等が発生して過負荷状態になることを防止することができる。【選択図】図１
2008247123.tif 000002
【特許請求の範囲】
【請求項１】
流体を供給されることによって回転駆動され、飛翔体の推力を発生するファンと、
前記ファンに前記流体を供給する２以上の流体供給手段と、
前記流体供給手段それぞれの異常を検知する異常検知手段と、
前記飛翔体の飛行に関する制御量を制御する制御手段と、
を備え、
前記異常検知手段が前記流体供給手段のいずれかの異常を検知したときは、
前記制御手段は、前記異常検知手段が異常を検知する前における推力を前記ファンが発生するために必要な流量の流体を前記異常検知手段が異常を検知していない前記流体供給手段が供給可能な状態になるまで、前記飛翔体の飛行に関する制御量を前記異常検知手段が異常を検知する前に比べて低い制御量になるように制御する、ファン制御装置。
【請求項２】
前記飛翔体の飛行に関する制御量は、前記ファンに供給される流体の流量である、請求項１に記載のファン制御装置。
【請求項３】
前記流体供給手段と前記ファンとの間を接続し、前記流体が流通可能な流体経路をさらに備え、
前記制御手段は、前記流体経路を流通可能な流体の流量を制御する、請求項２に記載のファン制御装置。
【請求項４】
前記異常検知手段が前記流体供給手段のいずれかの異常を検知したときは、
前記制御手段は、前記異常検知手段が異常を検知する前における推力を前記ファンが発生するために必要な流量の流体を前記異常検知手段が異常を検知していない前記流体供給手段が供給可能な状態になるまで、前記飛翔体の飛行に関する制御量を前記異常検知手段が異常を検知する前に比べて低い制御ゲインによって制御する、請求項１〜３のいずれか１項に記載のファン制御装置。
【請求項５】
前記流体は空気であり、前記流体供給手段は空気を前記ファンに供給する、請求項１〜４のいずれか１項に記載のファン制御装置。
【発明の詳細な説明】
【技術分野】
【０００１】
本発明はファン制御装置に関し、特に、流体を供給されることによって回転駆動され、飛翔体の推力を発生するためのファンを制御するファン制御装置に関するものである。
【背景技術】
【０００２】
従来、抽気ガスタービンエンジンにより空気を供給してファンを回転駆動させ、ＶＴＯＬ（Vertical  take-off  and  landing）機を飛行させるための推力を得ることが行われている。例えば、特許文献１では、高圧ガス方式の伝達系を有するＶＴＯＬ機が開示されている。この構成では、駆動源は、空気吸入口から空気を取り込み、コンプレッサで圧縮する。そして、圧縮された高圧ガスは配管を通じて伝達され、ファンの入力軸に吹き付けられてファンを回転させる。このＶＴＯＬ機では、フェールセーフの観点から、同一構成の２機の駆動源が搭載されている。
【特許文献１】特開２００５−１２５９７６号公報
【発明の開示】
【発明が解決しようとする課題】
【０００３】
ところで、このような２機のエンジンを有するＶＴＯＬ機において、エンジンの内の１機が故障していわゆる片肺飛行（ＯＥＩ：One  Engine  Inoperative）の状態となる場合がある。このようなＯＥＩの場合は、ファンの駆動力の不足を補うため、正常な方のエンジンの回転速度及びタービン入口温度は定格出力点よりも上昇させられる。しかしながら、片方のエンジンが故障した直後は、正常な方のエンジンの回転速度は低い。そのため、要求される出力が急激に大きくなった場合、サージ等が発生してエンジンが過負荷状態となり、故障していない方のエンジンまでもが正常に作動しない虞がある。
【０００４】
本発明は、かかる事情に鑑みてなされたものであり、その目的は、複数の駆動源における一部の駆動源が故障した場合において、正常な駆動源が過負荷状態となることを防止することができるファン制御装置を提供することにある。
【課題を解決するための手段】
【０００５】
本発明は、流体を供給されることによって回転駆動され、飛翔体の推力を発生するファンと、ファンに流体を供給する２以上の流体供給手段と、流体供給手段それぞれの異常を検知する異常検知手段と、飛翔体の飛行に関する制御量を制御する制御手段と、を備え、異常検知手段が流体供給手段のいずれかの異常を検知したときは、制御手段は、異常検知手段が異常を検知する前における推力をファンが発生するために必要な流量の流体を異常検知手段が異常を検知していない流体供給手段が供給可能な状態になるまで、飛翔体の飛行に関する制御量を異常検知手段が異常を検知する前に比べて低い制御量になるように制御する、ファン制御装置である。
【０００６】
この構成によれば、異常検知手段が流体供給手段のいずれかの異常を検知したときは、制御手段は、異常検知前における推力をファンが発生するために必要な流量の流体を正常な流体供給手段が供給可能な状態になるまで、飛翔体の飛行に関する制御量を異常検知前に比べて低い制御量になるように制御する。すなわち、この構成では、正常な方の流体供給手段が十分に立ち上がるまで、飛翔体の飛行に関する制御量を異常検知前より低くする。そのため、正常な流体供給手段にサージ等が発生して過負荷状態になることを防止することができる。
【０００７】
この場合、飛翔体の飛行に関する制御量は、ファンに供給される流体の流量とできる。
【０００８】
ファンに供給される流体の流量が流体供給手段の異常時に大きいと、正常な流体供給手段に過負荷が生じ易いが、この構成によれば、異常検知前における推力をファンが発生するために必要な流量の流体を正常な流体供給手段が供給可能な状態になるまで、ファンに供給される流体の流量を異常検知前よりも小さくするため、正常な流体供給手段にサージ等が発生して過負荷状態になることを防止することができる。
【０００９】
この場合、流体供給手段とファンとの間を接続し、流体が流通可能な流体経路をさらに備え、制御手段は、流体経路を流通可能な流体の流量を制御することが好適である。
【００１０】
この構成によれば、制御手段は、流体供給手段とファンとの間を接続する流体経路を流通可能な流体の流量を制御するため、ファンに供給される流体の流量を流体供給手段の出力等を変更することなく制御することができ、流体供給手段の負荷を低減できる。
【００１１】
一方、異常検知手段が流体供給手段のいずれかの異常を検知したときは、制御手段は、異常検知手段が異常を検知する前における推力をファンが発生するために必要な流量の流体を異常検知手段が異常を検知していない流体供給手段が供給可能な状態になるまで、飛翔体の飛行に関する制御量を異常検知手段が異常を検知する前に比べて低い制御ゲインによって制御することが好適である。
【００１２】
この構成によれば、異常検知手段が流体供給手段のいずれかの異常を検知したときは、制御手段は、異常検知前における推力をファンが発生するために必要な流量の流体を正常な流体供給手段が供給可能な状態になるまで、飛翔体の飛行に関する制御量を異常検知前に比べて低い制御ゲインによって制御する。すなわち、この構成では、正常な方の流体供給手段が十分に立ち上がるまで、飛翔体の飛行に関する制御量を、低い制御ゲインによって緩やかな制御応答性で制御する。そのため、正常な流体供給手段にサージ等が発生して過負荷状態になることを防止することができる。
【００１３】
また、流体は空気であり、流体供給手段は空気をファンに供給するものとできる。
【００１４】
この構成によれば、流体供給手段は空気をファンに供給する抽気型であるため、サージ等が発生してエンジンが過負荷状態となり易いため、より本発明の効果が発揮される。
【発明の効果】
【００１５】
本発明のファン制御装置によれば、複数の駆動源における一部の駆動源が故障した場合において、正常な駆動源が過負荷状態となることを防止することができる。
【発明を実施するための最良の形態】
【００１６】
以下、本発明の実施の形態に係る推進ファン制御装置について添付図面を参照して説明する。
【００１７】
図１は、実施形態に係る推進ファン制御装置の構成を示す図である。図１に示すように、本実施形態の推進ファン制御装置は、ＶＴＯＬ機の推力を発生するファンの動作を制御するためのものであり、ファン１、流量制御弁２、ＦＣＣ３、開度センサ６、空気供給系統８、集合管９、ＦＡＤＥＣ１０、及びエンジン＋コンプレッサー１１，１２を備えている。
【００１８】
エンジン＋コンプレッサー１１，１２は、駆動源となる圧縮空気をファン１に供給するためのものであり、空気源抽気ガスタービンエンジンとコンプレッサーとから構成されている。コンプレッサーを駆動するための動力源としては、レシプロエンジン、ロータリエンジン、電動機等も適用することができる。エンジン＋コンプレッサー１１，１２は、特許請求の範囲に記載の流体供給手段として機能する。
【００１９】
２本の空気供給系統８は、エンジン＋コンプレッサー１１，１２からの圧縮空気を、ファン１に供給するためのものである。空気供給系統８は特許請求の範囲に記載の流体経路として機能する。空気供給系統８にはそれぞれ流量制御弁２が設けられている。２本の空気供給系統８は流量制御弁２の出口からそれぞれ集合管９に接続されている。集合管９の出口は、配管によりファン１と接続されている。
【００２０】
流量制御弁２それぞれは、空気供給系統８の一方に異常が生じ、一系統のみで必要な空気量をファン１に供給する場合に対応可能な容量を有する。流量制御弁２は電動及び油圧駆動を用いても良い。流量制御弁２は、ＦＣＣ（Flight  Control  Computer：飛行制御コンピュータ）３と電線等の通信手段を用いて接続され、ＦＣＣ３からの弁開度制御信号４によって制御される。
【００２１】
流量制御弁２それぞれには、弁開度を検出する開度センサ６が接続されている。開度センサ６はＦＣＣ３と電線等の通信手段を用いて接続され、開度センサ６の開度センサ信号７はＦＣＣ３に送られる。ＦＣＣは、ＶＴＯＬ機の飛行を制御するためのもので、特許請求の範囲に記載の制御手段として機能する。
【００２２】
ＦＡＤＥＣ（Full  Authority  Digital  Engine  Control：エンジン電子制御装置）１０は、エンジン＋コンプレッサー１１，１２それぞれの異常を検知するためのものである。ＦＡＤＥＣ１０は、特許請求の範囲に記載の異常検知手段として機能する。ＦＡＤＥＣ１０とＦＣＣ３とは電線等の通信手段を用いて接続され、ＦＡＤＥＣ１０からのエンジン動作状態量信号１３は、ＦＣＣ３に送られる。
【００２３】
以下、本実施形態の推進ファン制御装置の動作について説明する。図２は、実施形態に係る推進ファン制御装置の動作を示すフロー図である。図２に示すように、ＶＴＯＬ機の飛行中において、推進制御ルーチンが起動されると（Ｓ１）、ＦＡＤＥＣ１０によりエンジン＋コンプレッサー１１，１２の異常が検知され、エンジン動作状態量信号１３がＦＣＣ３に送信される（Ｓ２）。
【００２４】
もし、エンジン＋コンプレッサー１１，１２の一方に異常が生じており、ファン１の出力制限中である場合は（Ｓ３）、ＦＣＣ３内のカウンター積分器（タイマー）がスタートする（Ｓ４）。カウンター積分器による計時開始からの経過時間が０．５秒未満の場合は（Ｓ５）、ＶＴＯＬ機のピッチロールに関する制御量は通常制御における制御量の０．５倍に設定され（Ｓ６）、ファン１の出力（ファン１で要求される空気量）は、図３に示すようにＯＥＩの発生前に比べて低くされる。また、図４に示すように、制御ゲインは通常の０．５倍に設定される。ＦＣＣ３は、設定された制御量になるように設定した制御ゲインに応じた弁開度制御信号４を流量制御弁２に送り、流量制御弁２を制御する（Ｓ７）。
【００２５】
カウンター積分器による計時開始からの経過時間が０．５秒以上の場合は（Ｓ５）、ＶＴＯＬ機のピッチロールに関する制御量及びファン１の出力（ファン１で要求される空気量）は、図３に示すように通常制御における制御量に設定される（Ｓ８）。また、図４に示すように、制御ゲインは通常値に設定される。ＦＣＣ３内のカウンター積分器はリセットされる（Ｓ９）。
【００２６】
一方、エンジン＋コンプレッサー１１，１２の双方が正常に動作しており、ファン１の出力制限中ではない場合は（Ｓ３）、ＦＣＣ３は通常の制御を行う（Ｓ１０）。
【００２７】
従来の抽気型ガスタービンエンジンを２発搭載したＶＴＯＬ機において、ＯＥＩの状態となった場合は、ガスタービンエンジン側からの要求は０．５秒の間、エンジンの出力を制限することが、ガスタービンエンジンの燃焼サイクルが成立する条件であり、この場合、エンジン抽気から得られる空気で駆動するファン１への空気供給量を２０％低減する必要がある。もし、この条件を満たさない場合は、ガスタービンエンジンはファン１の駆動用空気の抽気によりサージに突入しエンジンが停止する。
【００２８】
従来の推力ファン制御は、双発エンジンのいずれもが正常である状態が前提であり、通常ファン駆動時の制御ゲイン及び制御量で最適化してシステムが構築されている。しかし、双発エンジンの片方が故障した場合、正常なエンジンで双発構成時のファン駆動出力まで上げる間の抽気量が制限される。この間、エンジン正常時の制御ゲインをそのまま使用するとゲイン不適となり機体発散を招き飛行不可となる。また、出力制限時のゲインで適合した場合、飛行性能（安定性）を満足することができない。
【００２９】
そこで本実施形態では、ＦＡＤＥＣ１０がエンジン＋コンプレッサー１１，１２のいずれかの異常を検知したときは、ＦＣＣ３は、異常検知前における推力をファン１が発生するために必要な流量の空気を正常なエンジン＋コンプレッサー１１，１２が供給可能な状態になるまで、ＶＴＯＬ機の飛行に関する制御量、すなわちファン駆動用空気量を異常検知前に比べて低い量になるように制御する。すなわち、この構成では、エンジン＋コンプレッサー１１，１２の内で正常な方が十分に立ち上がるまで、異常検知前に比べてＶＴＯＬ機の飛行に関する制御量を低くする。また、この間、ピッチロール制御量に関する制御ゲインも異常検知前に比べて小さくする。そのため、正常なエンジン＋コンプレッサー１１，１２にサージ等が発生して過負荷状態になることを防止することができる。すなわち、ファン駆動用空気量を制限することにより、エンジン運転条件を満たすエンジン出力制限に対応することが可能となり、ガスタービンエンジンの燃焼サイクルが成立する条件を満たすことができる。そのため、姿勢制御ゲインを切替えることによってエンジン運転条件を満足し、機体発散を防止可能となる。
【００３０】
特に本実施形態では、ＦＣＣ３は、エンジン＋コンプレッサー１１，１２とファン１との間を接続する空気供給系統８を流通可能な空気の流量を流量制御弁２によって制御するため、ファン１に供給される流体の流量をエンジン＋コンプレッサー１１，１２の出力等を変更することなく制御することができ、エンジン＋コンプレッサー１１，１２の負荷を低減できる。
【００３１】
以上、本発明の実施の形態について説明したが、本発明は、上記実施形態に限定されるものではなく種々の変形が可能である。例えば、上記実施形態では、エンジン＋コンプレッサー１１，１２の一方に異常が生じたときに、ファン１が要求する空気流量を制御量とし、エンジン＋コンプレッサー１１，１２のうち正常なものが立ち上がるまで、空気流量を通常よりも小さいものとする態様を中心に説明したが、本発明はこれに限定されるものではない。例えば、エンジン＋コンプレッサー１１，１２の一方に異常が生じたときに、エンジン＋コンプレッサー１１，１２のうち正常なものが立ち上がるまで、異常検知前に比べて、ＦＣＣ３が算出する飛行制御に関する制御ゲインや姿勢制御に関する制御ゲインを減少させるものであっても良い。
【図面の簡単な説明】
【００３２】
【図１】実施形態に係る推進ファン制御装置の構成を示す図である。
【図２】実施形態に係る推進ファン制御装置の動作を示すフロー図である。
【図３】ＯＥＩ時のファン出力の変移を示すグラフ図である。
【図４】ＯＥＩ時のファン制御の制御ゲインの変移を示すグラフ図である。
【符号の説明】
【００３３】
１…ファン、２…流量制御弁、３…ＦＣＣ、４…弁開度制御信号、６…開度センサ、７…開度センサ信号、８…空気供給系統、９…集合管、１０…ＦＡＤＥＣ、１１，１２…エンジン＋コンプレッサー、１３…エンジン動作状態量信号。
【図１】
2008247123.tif 000003
【図２】
2008247123.tif 000004
【図３】
2008247123.tif 000005
【図４】
2008247123.tif 000006